(57)【特許請求の範囲】
【請求項１】
タッチパネルを備える印刷指示装置であって、
印刷対象となる原稿の印刷イメージを表示する表示部と、
前記表示部上に配置されたタッチパネルの出力信号を解析して、前記印刷イメージの所定の領域に対して行われた所定のタッチパネル操作を特定する入力情報解析部と、
前記印刷イメージに対応付けられた領域毎に、前記タッチパネル操作と前記原稿の印刷条件又は仕上げ条件を規定する印刷設定とを対応付ける対応付け情報を記憶する記憶部と、
前記対応付け情報を参照して、前記特定した所定の領域の所定のタッチパネル操作に対応する印刷設定を特定する印刷設定管理部と、
前記特定された印刷設定に応じた印刷イメージを生成し、前記表示部に表示される印刷イメージを更新する表示画像生成部と、
前記特定した印刷設定に応じた印刷を指示する情報を生成する印刷情報生成部と、を備え、
前記印刷イメージの所定の領域に対する所定のタッチパネル操作は、前記印刷イメージの周縁部をタップする操作であり、
前記印刷設定管理部は、
前記タップする操作として、複数の箇所が同時にタップされるマルチタップ操作を受けたときに、複数点に綴じ止めする設定若しくは前記複数点にパンチ穴を開ける設定を特定し、
前記タップする操作として、１つの箇所がタップされる操作を受けたときに、１点に綴じ止めする設定若しくは前記１点にパンチ穴を開ける設定を特定し、
前記複数点に綴じ止めする設定若しくは複数点にパンチ穴を開ける設定がなされている状態で、当該複数点に綴じ止めする設定若しくは複数点にパンチ穴を開ける設定に対応する前記所定の領域に対して前記マルチタップ操作を受けたときに、設定がなされている前記複数点に綴じ止めする設定若しくは複数点にパンチ穴を開ける設定を取りやめる、
ことを特徴とする印刷指示装置。
【請求項２】
前記印刷指示装置は、前記印刷イメージの所定の領域に対する所定のタッチパネル操作を登録する動作モードを備え、
前記動作モードでは、
前記表示画像生成部は、前記印刷イメージの所定の領域に対する所定のタッチパネル操作が行われたら、前記表示部に印刷設定の一覧を表示させ、
前記印刷設定管理部は、前記所定の領域の所定のタッチパネル操作と前記一覧から選択された印刷設定とを対応付け、前記記憶部に記憶された対応付け情報を更新する、
ことを特徴とする請求項１に記載の印刷指示装置。
【請求項３】
前記印刷イメージの所定の領域に対する所定のタッチパネル操作には、更に、前記印刷イメージの辺の中央部を起点にして回転するようになぞるタッチパネル操作が含まれ、
前記印刷イメージの辺の中央部を起点にして回転するようになぞるタッチパネル操作に対応する印刷設定は、用紙の向きを変更する設定である、
ことを特徴とする請求項１又は２に記載の印刷指示装置。
【請求項４】
前記印刷イメージの所定の領域に対する所定のタッチパネル操作には、更に、前記印刷イメージの中央部の１点と端部の１点とをつまんで２点の間隔を変えるタッチパネル操作が含まれ、
前記印刷イメージの中央部の１点と端部の１点とをつまんで２点の間隔を変えるタッチパネル操作に対応する印刷設定は、用紙のサイズを変更する設定である、
ことを特徴とする請求項１乃至３のいずれか一に記載の印刷指示装置。
【請求項５】
前記印刷イメージは、原稿が印刷される領域と当該領域の周囲の余白領域とを含み、
前記印刷イメージの所定の領域に対する所定のタッチパネル操作には、更に、前記原稿の端部の１点と当該端部近傍の前記余白領域の１点とをつまんで２点の間隔を変えるタッチパネル操作が含まれ、
前記原稿の端部の１点と当該端部近傍の前記余白領域の１点とをつまんで２点の間隔を変えるタッチパネル操作に対応する印刷設定は、前記原稿が印刷される領域を変更する設定である、
ことを特徴とする請求項１乃至４のいずれか一に記載の印刷指示装置。
【請求項６】
前記印刷イメージの所定の領域に対する所定のタッチパネル操作には、更に、前記印刷イメージを縦又は横に分割するようになぞるタッチパネル操作が含まれ、
前記印刷イメージを縦又は横に分割するようになぞるタッチパネル操作に対応する印刷設定は、複数のページを用紙に配置するＮｉｎ１設定である、
ことを特徴とする請求項１乃至５のいずれか一に記載の印刷指示装置。
【請求項７】
前記印刷イメージの所定の領域に対する所定のタッチパネル操作には、更に、前記印刷イメージの前記複数のページをなぞるタッチパネル操作が含まれ、
前記印刷イメージの前記複数のページをなぞるタッチパネル操作に対応する印刷設定は、なぞった順番に前記複数のページの配置を変更するページ割付設定である、
ことを特徴とする請求項６に記載の印刷指示装置。
【請求項８】
前記印刷イメージの所定の領域に対する所定のタッチパネル操作には、更に、前記印刷イメージを短辺方向に分割するようになぞるタッチパネル操作が含まれ、
前記印刷イメージを短辺方向に分割するようになぞるタッチパネル操作に対応する印刷設定は、なぞった線に沿って用紙を折る設定である、
ことを特徴とする請求項１乃至７のいずれか一に記載の印刷指示装置。
【請求項９】
前記印刷イメージの所定の領域に対する所定のタッチパネル操作には、更に、前記印刷イメージの辺に沿ってなぞるタッチパネル操作が含まれ、
前記印刷イメージの辺に沿ってなぞるタッチパネル操作に対応する印刷設定は、なぞった辺を綴じ代にする設定である、
ことを特徴とする請求項１乃至８のいずれか一に記載の印刷指示装置。
【請求項１０】
印刷対象となる原稿の印刷イメージを表示する表示部上にタッチパネルを備える装置で動作する制御プログラムであって、
前記装置を、
前記タッチパネルの出力信号を解析して、前記印刷イメージの所定の領域に対して行われた所定のタッチパネル操作を特定する入力情報解析部、
予め記憶した、前記印刷イメージに対応付けられた領域毎に、前記タッチパネル操作と前記原稿の印刷条件又は仕上げ条件を規定する印刷設定とを対応付ける対応付け情報を参照して、前記特定した所定の領域の所定のタッチパネル操作に対応する印刷設定を特定する印刷設定管理部、
前記特定された印刷設定に応じた印刷イメージを生成し、前記表示部に表示される印刷イメージを更新する表示画像生成部、
前記特定した印刷設定に応じた印刷を指示する情報を生成する印刷情報生成部、として機能させ、
前記印刷イメージの所定の領域に対する所定のタッチパネル操作は、前記印刷イメージの周縁部をタップする操作であり、
前記印刷設定管理部は、
前記タップする操作として、複数の箇所が同時にタップされるマルチタップ操作を受けたときに、複数点に綴じ止めする設定若しくは前記複数点にパンチ穴を開ける設定を特定し、
前記タップする操作として、１つの箇所がタップされる操作を受けたときに、１点に綴じ止めする設定若しくは前記１点にパンチ穴を開ける設定を特定し、
前記複数点に綴じ止めする設定若しくは複数点にパンチ穴を開ける設定がなされている状態で、当該複数点に綴じ止めする設定若しくは複数点にパンチ穴を開ける設定に対応する前記所定の領域に対して前記マルチタップ操作を受けたときに、設定がなされている前記複数点に綴じ止めする設定若しくは複数点にパンチ穴を開ける設定を取りやめる、
ことを特徴とする印刷指示プログラム。
【請求項１１】
前記装置は、前記印刷イメージの所定の領域に対する所定のタッチパネル操作を登録する動作モードを備え、
前記動作モードでは、
前記表示画像生成部は、前記印刷イメージの所定の領域に対する所定のタッチパネル操作が行われたら、前記表示部に印刷設定の一覧を表示させ、
前記印刷設定管理部は、前記所定の領域の所定のタッチパネル操作と前記一覧から選択された印刷設定とを対応付け、予め記憶された対応付け情報を更新する、
ことを特徴とする請求項１０に記載の印刷指示プログラム。
【発明の詳細な説明】
【技術分野】
【０００１】
本発明は、印刷指示装置及び印刷指示プログラムに関し、特に、タッチパネルを備える印刷指示装置及び当該印刷指示装置で動作する印刷指示プログラムに関する。
【背景技術】
【０００２】
近年、タッチパネルを備えたスマートフォンやタブレット端末等の携帯端末が普及しており、タッチパネルを操作することによって携帯端末に様々な処理を実行させることができる。例えば、タップ（指で軽くたたく操作）、ピンチイン（２本の指でつまみ、指を閉じる操作）やピンチアウト（２本の指でつまみ、指を広げる操作）、スワイプ（指で画面をなぞる操作）などを行うことにより、原稿を選択したり、原稿を拡大／縮小したり、原稿のページをめくったりすることができる。
【０００３】
また、タッチパネルを操作する別の方法として、例えば、下記特許文献１には、画面に入力された画像を表示する表示部と、入力された画像が予め設定された特定画像であるか否かを判別する判別部と、特定画像が入力されたとき、ジョブを行う制御部とを備え、制御部は、特定画像に応じて決められたジョブを実行するように処理装置に指示する情報表示装置が開示されており、タッチパネルに入力された簡単な記号を判別し、判別した記号に応じた処理を実行することが記載されている。
【先行技術文献】
【特許文献】
【０００４】
【特許文献１】特開２００９−０５３８３４号公報
【発明の概要】
【発明が解決しようとする課題】
【０００５】
ここで、表示された原稿を印刷する場合、コンピュータ装置などでは、印刷に関する多数の項目が配置された印刷設定画面を表示し、各項目を選択して印刷条件を設定する方法が用いられるが、画面のサイズがあまり大きくない携帯端末では、印刷設定画面を表示しても、各項目を選択して印刷条件を設定する操作を行うのは困難である。このような背景から、携帯端末では、タッチパネルを直感的に操作して印刷設定ができるようにする手法が求められる。
【０００６】
しかしながら、印刷設定の項目数に比べて、タッチパネル上で行う操作の種類は少ないため、操作と印刷設定項目とを単純に対応付けることができない。また、上記操作は印刷以外の処理を実行する際にも使用されるため、印刷設定を行う操作であることを認識できるようにする必要がある。また、特許文献１の技術を利用して、予め定めた記号と印刷設定項目とを対応付けることも可能であるが、この方法では、直感的な操作で印刷設定を行うことはできず、また、記号と印刷設定の対応関係を覚えていなければならないため不便である。
【０００７】
本発明は、上記問題点に鑑みてなされたものであって、その主たる目的は、印刷イメージに対する直感的なタッチパネル操作で印刷設定を行うことができる印刷指示装置及び印刷指示プログラムを提供することにある。
【課題を解決するための手段】
【０００８】
上記目的を達成するため、本発明は、タッチパネルを備える印刷指示装置であって、印刷対象となる原稿の印刷イメージを表示する表示部と、前記表示部上に配置されたタッチパネルの出力信号を解析して、前記印刷イメージの所定の領域に対して行われた所定のタッチパネル操作を特定する入力情報解析部と、前記印刷イメージに対応付けられた領域毎に、前記タッチパネル操作と前記原稿の印刷条件又は仕上げ条件を規定する印刷設定とを対応付ける対応付け情報を記憶する記憶部と、前記対応付け情報を参照して、前記特定した所定の領域の所定のタッチパネル操作に対応する印刷設定を特定する印刷設定管理部と、前記特定された印刷設定に応じた印刷イメージを生成し、前記表示部に表示される印刷イメージを更新する表示画像生成部と、前記特定した印刷設定に応じた印刷を指示する情報を生成する印刷情報生成部と、を備え、前記印刷イメージの所定の領域に対する所定のタッチパネル操作は、前記印刷イメージの周縁部をタップする操作であり、前記印刷設定管理部は、前記タップする操作として、複数の箇所が同時にタップされるマルチタップ操作を受けたときに、複数点に綴じ止めする設定若しくは前記複数点にパンチ穴を開ける設定を特定し、前記タップする操作として、１つの箇所がタップされる操作を受けたときに、１点に綴じ止めする設定若しくは前記１点にパンチ穴を開ける設定を特定し、前記複数点に綴じ止めする設定若しくは複数点にパンチ穴を開ける設定がなされている状態で、当該複数点に綴じ止めする設定若しくは複数点にパンチ穴を開ける設定に対応する前記所定の領域に対して前記マルチタップ操作を受けたときに、設定がなされている前記複数点に綴じ止めする設定若しくは複数点にパンチ穴を開ける設定を取りやめるものである。
【０００９】
また、本発明は、印刷対象となる原稿の印刷イメージを表示する表示部上にタッチパネルを備える装置で動作する印刷指示プログラムであって、前記装置を、前記タッチパネルの出力信号を解析して、前記印刷イメージの所定の領域に対して行われた所定のタッチパネル操作を特定する入力情報解析部、予め記憶した、前記印刷イメージに対応付けられた領域毎に、前記タッチパネル操作と前記原稿の印刷条件又は仕上げ条件を規定する印刷設定とを対応付ける対応付け情報を参照して、前記特定した所定の領域の所定のタッチパネル操作に対応する印刷設定を特定する印刷設定管理部、前記特定された印刷設定に応じた印刷イメージを生成し、前記表示部に表示される印刷イメージを更新する表示画像生成部、前記特定した印刷設定に応じた印刷を指示する情報を生成する印刷情報生成部、として機能させ、前記印刷イメージの所定の領域に対する所定のタッチパネル操作は、前記印刷イメージの周縁部をタップする操作であり、前記印刷設定管理部は、前記タップする操作として、複数の箇所が同時にタップされるマルチタップ操作を受けたときに、複数点に綴じ止めする設定若しくは前記複数点にパンチ穴を開ける設定を特定し、前記タップする操作として、１つの箇所がタップされる操作を受けたときに、１点に綴じ止めする設定若しくは前記１点にパンチ穴を開ける設定を特定し、前記複数点に綴じ止めする設定若しくは複数点にパンチ穴を開ける設定がなされている状態で、当該複数点に綴じ止めする設定若しくは複数点にパンチ穴を開ける設定に対応する前記所定の領域に対して前記マルチタップ操作を受けたときに、設定がなされている前記複数点に綴じ止めする設定若しくは複数点にパンチ穴を開ける設定を取りやめるものである。
【発明の効果】
【００１０】
本発明の印刷指示装置及び印刷指示プログラムによれば、印刷イメージに対する直感的なタッチパネル操作で印刷設定を行うことができる。
【００１１】
その理由は、印刷指示装置は、表示された印刷イメージの所定の領域に対してタッチパネル上で所定のタッチパネル操作（ジェスチャ）を行うと、予め記憶した対応付け情報を参照して、所定の領域の所定のタッチパネル操作に対応する印刷設定を特定し、その印刷設定に従って、表示する印刷イメージを更新すると共に、印刷を指示する情報を生成する制御を行うからである。
【００１２】
これにより、印刷設定画面を表示する従来の方法に比べて、より直感的で操作性の高いユーザインターフェースを提供することができ、ユーザの利便性を高めることができる。
【図面の簡単な説明】
【００１３】
【図１】本発明の一実施例に係る印刷指示装置の外観例を示す図である。
【図２】本発明の一実施例に係る印刷指示装置のモジュール構成を示す図である。
【図３】本発明の一実施例に係る印刷指示装置を用いた印刷操作方法を概説する図である。
【図４】本発明の一実施例に係る印刷指示装置に表示される印刷イメージにおける印刷設定用の領域割付例を示す図である。
【図５】本発明の一実施例に係る印刷指示装置のタッチパネル操作例（基本設定操作）を示す図である。
【図６】本発明の一実施例に係る印刷指示装置のタッチパネル操作例（レイアウト操作）を示す図である。
【図７】本発明の一実施例に係る印刷指示装置のタッチパネル操作例（仕上げ操作）を示す図である。
【図８】本発明の一実施例に係る印刷指示装置の印刷設定処理を示すフローチャート図である。
【図９】本発明の一実施例に係る印刷指示装置の処理（処理フロー１）の詳細を示すフローチャート図である。
【図１０】本発明の一実施例に係る印刷指示装置の処理（処理フロー２）の詳細を示すフローチャート図である。
【図１１】本発明の一実施例に係る印刷指示装置の処理（処理フロー３）の詳細を示すフローチャート図である。
【図１２】本発明の一実施例に係る印刷指示装置の処理（処理フロー４）の詳細を示すフローチャート図である。
【図１３】本発明の一実施例に係る印刷指示装置に表示される印刷設定操作登録画面を示す図である。
【図１４】本発明の一実施例に係る印刷指示装置の印刷設定操作変更処理を示すフローチャート図である。
【発明を実施するための形態】
【００１４】
背景技術で示したように、タッチパネルを備えた装置では、タップ、ピンチインやピンチアウト、スワイプなどの操作（ジェスチャ）を行うことにより、各種処理を実行することができる。しかしながら、印刷処理の場合、印刷設定項目の数に比べてタッチパネル上の操作の種類は少ないため、操作と印刷設定項目とを単純に対応付けても、ユーザが所望する印刷設定を行うのは困難である。また、上記操作は印刷以外の処理を行う場合にも使用されるため、印刷設定を行う操作であることを識別できるようにする必要がある。
【００１５】
そこで、本発明の一実施の形態では、印刷イメージに対応付けられた領域毎に、タップ、ピンチインやピンチアウト、スワイプなどのタッチパネル操作と印刷設定とを対応付けて記憶しておき、表示された印刷イメージの所定の領域に対して所定のタッチパネル操作が行われた場合に、対応付け情報を参照して、その所定の領域の所定のタッチパネル操作に対応する印刷設定を特定し、特定した印刷設定内容に従って表示する印刷イメージを更新し、印刷要求を行うようにする。
【００１６】
これにより、印刷イメージが表示される画面上でタップ、ピンチインやピンチアウト、スワイプといった簡単かつ直感的なタッチパネル操作を行うだけで、所望の印刷設定を行うことができ、ユーザの利便性を高めることができる。
【実施例】
【００１７】
上記した本発明の一実施の形態についてさらに詳細に説明すべく、本発明の一実施例に係る印刷指示装置及び印刷指示プログラムについて、図１乃至図１４を参照して説明する。図１は、本実施例の印刷指示装置の外観例を示す図であり、図２は、印刷指示装置のモジュール構成を示す図、図３は、本実施例の印刷指示装置の操作方法を概説する図である。また、図４は、印刷設定用の領域割付例を示す図であり、図５乃至図７は、各々、基本設定操作、レイアウト操作、仕上げ操作の詳細を示す図である。また、図８は、本実施例の印刷指示装置の処理（印刷設定処理）を示すフローチャート図であり、図９乃至図１２は、処理フロー１〜４の詳細を示すフローチャート図である。また、図１３は、本実施例の印刷指示装置に表示される印刷設定操作登録画面の一例を示す図であり、図１４は、本実施例の印刷指示装置における印刷設定操作変更処理を示すフローチャート図である。
【００１８】
なお、本実施例において、印刷イメージとは、原稿を用紙に印刷する時の印刷物の仕上がり状態を模式的に示す画像であり、用紙の外形を示す枠と、その用紙に印刷される原稿の画像（実際に印刷される原稿の画像でもよいし、サンプルの画像でもよい。）とを含む。また、印刷設定とは、原稿を用紙に印刷する際の印刷条件を規定する設定情報である。
【００１９】
図１に示すように、本実施例の印刷指示装置１０は、マルチタッチが可能な（２点以上のタッチを検出可能な）タッチパネルを備える機器であり、例えば、スマートフォンやタブレット端末などの携帯端末や、マルチタッチが可能な操作パネルを備えるＭＦＰ（Multi Function Peripheral）などの画像形成装置である。なお、本実施例では携帯端末を例にして説明する。
【００２０】
上記印刷指示装置１０は、図２に示すように、タッチパネルインタフェース１１、画像表示部１２、入力情報解析部１３、印刷情報生成部１４、印刷設定管理部１５、表示画像生成部１６、データ管理部１７、通信処理部１８、印刷設定記憶部１９、画像リソース記憶部２０、設定操作記憶部２１などを備える。
【００２１】
タッチパネルインタフェース１１は、画像表示部１２上に配置された感圧式若しくは静電式のタッチパネルから出力される信号を入力情報解析部１３に通知する。
【００２２】
画像表示部１２は、電子ペーパー（ＥＰＤ：Electrophoretic Display）や液晶表示装置（ＬＣＤ：Liquid Crystal Display）、有機ＥＬ（electroluminescence）表示装置等からなり、表示画像生成部１６で生成された画像情報（印刷イメージなど）を表示する。
【００２３】
入力情報解析部１３は、タッチパネルインタフェース１１から取得した情報（タッチパネルの出力信号）を解析してタッチパネル上でユーザが行った操作（タッチパネル操作と呼ぶ。）を特定し、タッチパネル操作の操作情報を印刷情報生成部１４、印刷設定管理部１５、表示画像生成部１６に通知する。
【００２４】
印刷情報生成部１４は、入力情報解析部１３から印刷を指示するタッチパネル操作の操作情報を取得したら、データ管理部１７を介して、印刷設定記憶部１９に記憶されている印刷設定情報を取得し、その印刷設定情報に基づいて印刷を指示する情報（印刷要求と呼ぶ。）を生成し、生成した印刷要求情報を通信処理部１８に通知する。
【００２５】
印刷設定管理部１５は、入力情報解析部１３からタッチパネル操作の操作情報（後述する基本設定操作やレイアウト操作、仕上げ操作などの情報）を取得したら、データ管理部１７から、設定操作記憶部２１に保存されている対応付け情報を取得し、その対応付け情報を参照して、タッチパネル上でユーザが行ったタッチパネル操作に対応する印刷設定を特定し、特定した印刷設定情報をデータ管理部１７に通知する。
【００２６】
表示画像生成部１６は、データ管理部１７から画像リソース記憶部２０に保存されている画像を取得したら、取得した画像に基づいて印刷イメージを生成し、生成した印刷イメージを画像表示部１２に送信する。また、入力情報解析部１３から操作情報を取得したら、取得した操作情報に基づいて印刷イメージを加工し、加工した印刷イメージを画像表示部１２に送信する。
【００２７】
データ管理部１７は、印刷設定記憶部１９、画像リソース記憶部２０、設定操作記憶部２１に対するデータの入出力を管理する。具体的には、印刷設定管理部１５に対して、設定操作記憶部２１に保存されている対応付け情報を通知したり、表示画像生成部１６に対して、画像リソース記憶部２０に保存されている画像情報を通知したり、印刷設定管理部１５から取得した印刷設定情報を印刷設定記憶部１９に保存したり、印刷情報生成部１４に対して、印刷設定記憶部１９に保存されている印刷設定情報を通知したりする。
【００２８】
通信処理部１８は、ＮＩＣ（Network Interface Card）やモデムなどであり、有線通信や無線通信によりネットワークに接続された画像形成装置やプリンタコントローラなどと交信し、印刷情報生成部１４から通知された印刷要求を画像形成装置やプリンタコントローラなどに送信する。
【００２９】
印刷設定記憶部１９は、現在設定されている印刷設定情報を保存する。画像リソース記憶部２０は、表示画像生成部１６が印刷イメージを生成するための画像情報（印刷イメージや印刷イメージの元となる素材の画像）を保存する。設定操作記憶部２１は、タッチパネル操作（ジェスチャ）と印刷設定とを対応付ける対応付け情報を保存する。
【００３０】
なお、入力情報解析部１３、印刷情報生成部１４、印刷設定管理部１５、表示画像生成部１６、データ管理部１７などはハードウェアとして構成してもよいし、ＣＰＵ（Central Processing Unit）と、ＲＯＭ（Read Only Memory）やＲＡＭ（Random Access Memory）などのメモリとで構成される制御部を、入力情報解析部１３、印刷情報生成部１４、印刷設定管理部１５、表示画像生成部１６、データ管理部１７などとして機能させる印刷指示プログラムとして構成してもよい。
【００３１】
次に、上記構成の印刷指示装置１０を用いた印刷設定方法について、図３を参照して概説する。
【００３２】
まず、画像表示部１２に印刷イメージを表示させる。その際、本実施例では、印刷イメージ及びその近傍の領域に対して行うタッチパネル操作を印刷設定に対応付けるため、印刷イメージは画面全体には表示しない。従って、印刷イメージの周囲にはタッチパネル入力が可能な領域が存在することになり、印刷イメージ及びその近傍の領域よりも更に外側の領域に対してタッチパネル操作が行われた場合、そのタッチパネル操作は、印刷設定以外の処理に対するタッチパネル操作と見なすことができる。
【００３３】
画像表示部１２に印刷イメージが表示された状態で、図３（ａ）に示すように、用紙の右端箇所を始点とし１本の指で円弧を描くタッチパネル操作が行われた場合、入力情報解析部１３は、タッチパネルからの信号を解析して、用紙の向きを９０°回転させる印刷設定操作であると特定し、その印刷設定操作情報を印刷設定管理部１５及び表示画像生成部１６に通知する。印刷設定管理部１５は、データ管理部１７を介して設定操作記憶部２１に保存されている対応付け情報を取得し、その対応付け情報を参照して、印刷設定操作情報に対応する印刷設定（ここでは用紙を横向きにする設定）を特定し、特定した印刷設定情報をデータ管理部１７に通知し、データ管理部１７は、その印刷設定情報を印刷設定記憶部１９に記憶させる。また、表示画像生成部１６は、データ管理部１７から画像リソース記憶部２０に保存されている画像情報を取得したら、用紙の向きを９０°回転させた印刷イメージを生成し、図３（ｂ）に示すように、画像表示部１２に生成した印刷イメージを表示させる。
【００３４】
次に、図３（ｂ）の状態で、用紙の右下箇所を２本の指でタッチし指を広げるタッチパネル操作が行われた場合、入力情報解析部１３は、タッチパネルからの信号を解析して、用紙のサイズを大きくする印刷設定操作であると特定し、その印刷設定操作情報を印刷設定管理部１５及び表示画像生成部１６に通知する。印刷設定管理部１５は、上記対応付け情報を参照して、印刷設定操作情報に対応する印刷設定（ここでは用紙サイズをＡ４からＡ３にする設定）を特定し、特定した印刷設定情報をデータ管理部１７に通知し、データ管理部１７は、その印刷設定情報を印刷設定記憶部１９に記憶させる。また、表示画像生成部１６は、データ管理部１７から画像リソース記憶部２０に保存されている画像情報を取得したら、用紙のサイズを拡大した印刷イメージを生成し、図３（ｃ）に示すように、画像表示部１２に生成した印刷イメージを表示させる。なお、用紙サイズを変更する操作の場合、現在表示している印刷イメージを利用することができるため、入力情報解析部１３から通知された操作情報に基づいて印刷イメージを生成することもできる。
【００３５】
次に、図３（ｃ）の状態で、用紙の左端箇所を２本の指でタッチするタッチパネル操作が行われた場合、入力情報解析部１３は、タッチパネルからの信号を解析して、用紙の左端の２点でステープルする印刷設定操作であると特定し、その印刷設定操作情報を印刷設定管理部１５及び表示画像生成部１６に通知する。印刷設定管理部１５は、上記対応付け情報を参照して、印刷設定操作情報に対応する印刷設定（ここでは用紙の左側の２点をステープルする設定）を特定し、特定した印刷設定情報をデータ管理部１７に通知し、データ管理部１７は、その印刷設定情報を印刷設定記憶部１９に記憶させる。また、表示画像生成部１６は、データ管理部１７から画像リソース記憶部２０に保存されている画像情報を取得したら、ステープルの場所を明示した印刷イメージを生成し、図３（ｄ）に示すように、画像表示部１２に生成した印刷イメージを表示させる。
【００３６】
次に、図３（ｄ）の状態で、ＯＫボタンを押下するタッチパネル操作が行われたら、入力情報解析部１３は、タッチパネルからの信号を解析して、印刷を指示する印刷設定操作であると特定し、その印刷設定操作情報を印刷情報生成部１４に通知する。印刷情報生成部１４は、データ管理部１７を介して印刷設定記憶部１９から現在の印刷設定情報を取得し、その印刷設定情報に基づいて印刷要求を生成し、生成した印刷要求を通信処理部１８に通知し、通信処理部１８はその印刷要求を画像形成装置に送信する。
【００３７】
次に、印刷設定の具体的な方法について、図４乃至図７を参照して説明する。図４は、操作位置と、その操作位置に対応する印刷設定とを説明する図であり、図中の外側の枠は用紙の外形を示し、内側の枠は用紙内の原稿画像の印刷領域を示している。また、図５乃至図７は、印刷設定に使用する各種操作を具体的に示す図である。
【００３８】
印刷イメージの左上領域（図中のａの領域）は、ステープル（１点）を指示する時に使用する領域である。例えば、図７の（ａ−１）に示すように、印刷イメージの左上箇所を１本の指でタップするタッチパネル操作が行われた時は、そのタッチパネル操作は、用紙の左上の１点でステープル（綴じ止め）する印刷設定操作であると判断する。
【００３９】
また、印刷イメージの上領域（図中のｂの領域）及び右領域（図中のｃの領域）は、用紙の向きの変更を指示する時に使用する領域である。例えば、図５（ａ）に示すように、印刷イメージの上又は右の箇所を１本の指でタッチし、右又は左に９０°回転するようにスワイプするタッチパネル操作が行われた時は、そのタッチパネル操作は、用紙の向きを縦から横、若しくは、横から縦に回転させる印刷設定操作であると判断する。
【００４０】
また、原稿画像の略中央の領域（図中のｄの領域）及び印刷イメージの右下領域（図中のｆの領域）は、用紙サイズを拡大又は縮小する時に使用する領域である。例えば、図５（ｂ）に示すように、１本の指で原稿画像の略中央箇所をタッチし、もう１本の指で印刷イメージの右下箇所をタッチし、２本の指の間隔を広げるタッチパネル操作が行われた時は、そのタッチパネル操作は、用紙のサイズを拡大する印刷設定操作であると判断し、２本の指の間隔を狭めるタッチパネル操作が行われた時は、そのタッチパネル操作は、用紙のサイズを縮小する印刷設定操作であると判断する。
【００４１】
また、原稿画像の右下の領域（図中のｅの領域）及び印刷イメージの右下領域（図中のｆの領域）は、プリントエリアを拡大又は縮小する時に使用する領域である。例えば、図６（ａ）に示すように、１本の指で原稿画像の右下箇所をタッチし、もう１本の指で印刷イメージの右下箇所をタッチし、２本の指の間隔を広げるタッチパネル操作が行われた時は、そのタッチパネル操作は、プリントエリアを拡大する印刷設定操作であると判断し、２本の指の間隔を狭めるタッチパネル操作が行われた時は、そのタッチパネル操作は、プリントエリアを縮小する印刷設定操作であると判断する。
【００４２】
また、印刷イメージの左領域（図中の２つのｇの領域）は、パンチを指示する時に使用する領域である。例えば、図７（ｂ）に示すように、２本の指で印刷イメージの左側箇所をタップ（マルチタップ）するタッチパネル操作が行われた時は、そのタッチパネル操作は、用紙の左側に２点のパンチ穴を開ける印刷設定操作であると判断する。
【００４３】
また、印刷イメージの左領域（図中の２つのｈの領域）は、ステープル（２点）を指示する時に使用する領域である。例えば、図７の（ａ−２）に示すように、２本の指で印刷イメージの左側箇所をタップ（マルチタップ）するタッチパネル操作が行われた時は、そのタッチパネル操作は、用紙の左側の２点でステープル（綴じ止め）する印刷設定操作であると判断する。
【００４４】
また、印刷イメージの略中央を縦断する領域（図中のｉの領域）又は横断する領域（図中のｊの領域）は、Ｎｉｎ１を指示する時に使用する領域である。例えば、図６（ｂ）に示すように、１本の指で印刷イメージの略中央箇所を横向き又は縦向きになぞるタッチパネル操作が行われた時は、そのタッチパネル操作は、用紙に複数ページを配置する印刷設定操作であると判断する。
【００４５】
また、印刷イメージが横向きの場合に、印刷イメージの略中央（ｉの領域よりもやや右側）を縦断する領域（図中のｋの領域）は、折りを指示する時に使用する領域である。例えば、図７の（ｃ−１）に示すように、１本の指で印刷イメージの略中央箇所を縦向きになぞるタッチパネル操作が行われた時、若しくは、２本の指で印刷イメージの上下箇所をピンチインするタッチパネル操作が行われた時は、そのタッチパネル操作は、用紙を中央で２つに折る中折りの印刷設定操作であると判断する。
【００４６】
また、印刷イメージが横向きの場合に、印刷イメージの右側を縦断する領域（図中のｌの領域）及び印刷イメージの左側を縦断する領域（図中のｍの領域）も、折りを指示する時に使用する領域である。例えば、図７の（ｃ−２）に示すように、１本の指で印刷イメージを縦向きに２回なぞるタッチパネル操作が行われた時、若しくは、２本の指で印刷イメージの上下箇所を２回ピンチインするタッチパネル操作が行われた時は、そのタッチパネル操作は、用紙を３つに折る内三つ折りの印刷設定操作であると判断する。
【００４７】
また、図４には記載していないが、図６（ｃ）に示すように、ページが横に並んだ印刷イメージに対して１本の指で右向き又は左向きになぞるタッチパネル操作が行われた時は、そのタッチパネル操作は、用紙に割り付けるページの順番を指定する印刷設定操作であると判断する。また、図６（ｄ）に示すように、印刷イメージの上下左右の辺に沿って１本の指でなぞるタッチパネル操作が行われた時は、そのタッチパネル操作は、その辺を綴じしろとして両面に印刷する印刷設定操作であると判断する。また、図７（ｃ−３）に示すように、谷折りにしたい部分を１本の指でなぞり、山折りにしたい部分を２本の指でつまむタッチパネル操作が行われた時は、そのタッチパネル操作は、Ｚ折りの印刷設定操作であると判断する。
【００４８】
なお、図４乃至図７では、原稿の向き、原稿サイズ、プリントエリア、Ｎｉｎ１、ページ割付、両面、ステープル、パンチ、折りに関する設定を行う場合の操作について説明したが、本実施例の操作は上記に限定されない。
【００４９】
次に、印刷指示装置１０の処理について、図８乃至図１２のフローチャート図を参照して説明する。
【００５０】
まず、ユーザが所定の操作を行って、画像表示部１２の画面上に印刷イメージを表示させる。そして、ユーザが印刷設定のための所定のタッチパネル操作を行うと（Ｓ１０１）、タッチパネルインタフェース１１は、タッチパネルから出力される信号（ユーザがタッチしたタッチパネル上の位置情報）を入力情報解析部１３に通知し、入力情報解析部１３は、位置情報を解析してユーザが行った操作を特定する（Ｓ１０２）。
【００５１】
ユーザが行ったタッチパネル操作がタップの場合（Ｓ１０３）は、処理フロー１を実行する（Ｓ１０４）。また、ユーザが行ったタッチパネル操作がマルチタップの場合（Ｓ１０５）は、処理フロー２を実行する（Ｓ１０６）。また、ユーザが行ったタッチパネル操作がスワイプの場合（Ｓ１０７）は、処理フロー３を実行する（Ｓ１０８）。また、ユーザが行ったタッチパネル操作がピンチの場合（Ｓ１０９）は、処理フロー４を実行する（Ｓ１１０）。これらの処理フロー１〜４については後述する。
【００５２】
処理フロー１〜４を実行した後、表示画像生成部１６は、データ管理部１７から取得した画像情報を用いて、画像表示部１２に表示させる印刷イメージを生成する（Ｓ１１１）。そして、画像表示部１２は、印刷設定を反映させた印刷イメージを表示する（Ｓ１１２）。
【００５３】
次に、入力情報解析部１３は、印刷設定操作が終了したか（例えば、ＯＫボタンが押下されたか）を判断し（Ｓ１１３）、印刷設定操作が終了していない場合は、Ｓ１０１に戻って同様の処理を繰り返す。一方、印刷設定操作が終了した場合は、印刷情報生成部１４は、データ管理部１７を介して、印刷設定記憶部１９に記憶された印刷設定情報を取得し、その印刷設定情報に基づいて印刷要求を作成し、通信処理部１８を介して、作成した印刷要求を画像形成装置に送信する（Ｓ１１４）。画像形成装置は、受信した印刷要求に基づいて印刷処理を実行し、ユーザの印刷設定通りの印刷物を作成する。
【００５４】
［処理フロー１］
次に、Ｓ１０４の処理フロー１の詳細について、図９のフローチャート図を参照して説明する。
【００５５】
まず、入力情報解析部１３は、図４の（ａ）の領域がタップされたかを判断する（Ｓ２０１）。（ａ）の領域がタップされていない場合は、処理フロー１の処理を終了する。一方、（ａ）の領域がタップされた場合は、タッチパネルの操作情報を印刷設定管理部１５に通知し、印刷設定管理部１５は、設定操作記憶部２１に記憶された対応付け情報を参照して、そのタッチパネル操作が、ステープル（１点）を指示する印刷設定操作であると特定する。そして、印刷設定管理部１５は、印刷設定記憶部１９に記憶された印刷設定を参照して、現在の印刷設定がステープルなしであるかを判断する（Ｓ２０２）。
【００５６】
現在の印刷設定がステープルなしの場合は、１点でステープルする印刷設定情報をデータ管理部１７に送り、データ管理部１７は、その印刷設定情報を印刷設定記憶部１９に記憶させる（Ｓ２０３）。その後、データ管理部１７は、その印刷設定に対応する画像情報（１点でステープルする画像）を画像リソース記憶部２０から取得し、表示画像生成部１６に通知する（Ｓ２０４）。
【００５７】
一方、ステープル（１点）が既に設定されている場合は、ステープルなしの印刷設定情報をデータ管理部１７に送り、データ管理部１７は、その印刷設定情報を印刷設定記憶部１９に記憶させる（Ｓ２０５）。その後、データ管理部１７は、その印刷設定に対応する画像情報（ステープルなしの画像）を画像リソース記憶部２０から取得し、表示画像生成部１６に通知する（Ｓ２０６）。
【００５８】
［処理フロー２］
次に、Ｓ１０６の処理フロー２の詳細について、図１０のフローチャート図を参照して説明する。
【００５９】
まず、入力情報解析部１３は、図４の（ｇ）の領域がマルチタップされたかを判断する（Ｓ３０１）。（ｇ）の領域がマルチタップされた場合は、タッチパネルの操作情報を印刷設定管理部１５に通知し、印刷設定管理部１５は、上記対応付け情報を参照して、そのタッチパネル操作が、パンチ（２点）を指示する印刷設定操作であると特定する。そして、印刷設定管理部１５は、印刷設定記憶部１９に記憶された印刷設定を参照して、現在の印刷設定がパンチなしであるかを判断する（Ｓ３０２）。
【００６０】
現在の印刷設定がパンチなしの場合は、２点でパンチする印刷設定情報をデータ管理部１７に送り、データ管理部１７は、その印刷設定情報を印刷設定記憶部１９に記憶させる（Ｓ３０３）。その後、データ管理部１７は、その印刷設定に対応する画像情報（２点でパンチする画像）を画像リソース記憶部２０から取得し、表示画像生成部１６に通知する（Ｓ３０４）。
【００６１】
一方、パンチ（２点）が既に設定されている場合は、パンチなしの印刷設定情報をデータ管理部１７に送り、データ管理部１７は、その印刷設定情報を印刷設定記憶部１９に記憶させる（Ｓ３０５）。その後、データ管理部１７は、その印刷設定に対応する画像情報（パンチなしの画像）を画像リソース記憶部２０から取得し、表示画像生成部１６に通知する（Ｓ３０６）。
【００６２】
Ｓ３０１で、（ｇ）の領域がマルチタップされていない場合は、入力情報解析部１３は、図４の（ｈ）の領域がマルチタップされたかを判断する（Ｓ３０７）。（ｈ）の領域がマルチタップされていない場合は、処理フロー２の処理を終了する。一方、（ｈ）の領域がマルチタップされた場合は、タッチパネルの操作情報を印刷設定管理部１５に通知し、印刷設定管理部１５は、上記対応付け情報を参照して、そのタッチパネル操作が、ステープル（２点）を指示する印刷設定操作であると特定する。そして、印刷設定管理部１５は、印刷設定記憶部１９に記憶された印刷設定を参照して、現在の印刷設定がステープルなしであるかを判断する（Ｓ３０８）。
【００６３】
現在の印刷設定がステープルなしの場合は、２点でステープルする印刷設定情報をデータ管理部１７に送り、データ管理部１７は、その印刷設定情報を印刷設定記憶部１９に記憶させる（Ｓ３０９）。その後、データ管理部１７は、その印刷設定に対応する画像情報（２点でステープルする画像）を画像リソース記憶部２０から取得し、表示画像生成部１６に通知する（Ｓ３１０）。
【００６４】
一方、ステープル（２点）が既に設定されている場合は、ステープルなしの印刷設定情報をデータ管理部１７に送り、データ管理部１７は、その印刷設定情報を印刷設定記憶部１９に記憶させる（Ｓ３１１）。その後、データ管理部１７は、その印刷設定に対応する画像情報（ステープルなしの画像）を画像リソース記憶部２０から取得し、表示画像生成部１６に通知する（Ｓ３１２）。
【００６５】
［処理フロー３］
次に、Ｓ１０８の処理フロー３の詳細について、図１１のフローチャート図を参照して説明する。
【００６６】
まず、入力情報解析部１３は、図４の（ｂ）又は（ｃ）の領域がスワイプされたかを判断する（Ｓ４０１）。（ｂ）又は（ｃ）の領域がスワイプされていない場合は、処理フロー３の処理を終了する。一方、（ｂ）又は（ｃ）の領域がスワイプされた場合は、タッチパネルの操作情報を印刷設定管理部１５に通知し、印刷設定管理部１５は、上記対応付け情報を参照して、そのタッチパネル操作が、用紙の向きを変更する印刷設定操作であると特定する。そして、印刷設定管理部１５は、印刷設定記憶部１９に記憶された印刷設定を参照して、現在の用紙の向きが縦であるかを判断する（Ｓ４０２）。
【００６７】
現在の用紙の向きが縦の場合は、用紙の向きを横にする印刷設定情報をデータ管理部１７に送り、データ管理部１７は、その印刷設定情報を印刷設定記憶部１９に記憶させる（Ｓ４０３）。その後、データ管理部１７は、その印刷設定に対応する画像情報（用紙の向きが横の画像）を画像リソース記憶部２０から取得し、表示画像生成部１６に通知する（Ｓ４０４）。
【００６８】
一方、現在の用紙の向きが縦でない場合（横の場合）は、用紙の向きを縦にする印刷設定情報をデータ管理部１７に送り、データ管理部１７は、その印刷設定情報を印刷設定記憶部１９に記憶させる（Ｓ４０５）。その後、データ管理部１７は、その印刷設定に対応する画像情報（用紙の向きが縦の画像）を画像リソース記憶部２０から取得し、表示画像生成部１６に通知する（Ｓ４０６）。
【００６９】
［処理フロー４］
次に、Ｓ１１０の処理フロー４の詳細について、図１２のフローチャート図を参照して説明する。
【００７０】
まず、入力情報解析部１３は、図４の（ｄ）及び（ｆ）の領域がピンチされたかを判断する（Ｓ５０１）。（ｄ）及び（ｆ）の領域がピンチされた場合は、入力情報解析部１３は、ピンチアウトの操作であるかを判断する（Ｓ５０２）。
【００７１】
ピンチアウトの操作の場合は、ピンチアウトの操作情報を印刷設定管理部１５に通知し、印刷設定管理部１５は、上記対応付け情報を参照して、そのタッチパネル操作が、用紙サイズを拡大する印刷設定操作であると特定する。そして、印刷設定管理部１５は、印刷設定記憶部１９に記憶された印刷設定を参照して現在の用紙サイズを特定し、現在のサイズよりも１段階大きいサイズの用紙に設定する印刷設定情報をデータ管理部１７に送り、データ管理部１７は、その印刷設定情報を印刷設定記憶部１９に記憶させる（Ｓ５０３）。その後、データ管理部１７は、その印刷設定に対応する画像情報（１段階大きいサイズの画像）を画像リソース記憶部２０から取得し、表示画像生成部１６に通知する（Ｓ５０４）。
【００７２】
一方、ピンチアウトの操作でない場合は、ピンチインの操作情報を印刷設定管理部１５に通知し、印刷設定管理部１５は、上記対応付け情報を参照して、そのタッチパネル操作が、用紙サイズを縮小する印刷設定操作であると特定する。そして、印刷設定管理部１５は、印刷設定記憶部１９に記憶された印刷設定を参照して現在の用紙サイズを特定し、現在のサイズよりも１段階小さいサイズの用紙に設定する印刷設定情報をデータ管理部１７に送り、データ管理部１７は、その印刷設定情報を印刷設定記憶部１９に記憶させる（Ｓ５０５）。その後、データ管理部１７は、その印刷設定に対応する画像情報（１段階小さいサイズの画像）を画像リソース記憶部２０から取得し、表示画像生成部１６に通知する（Ｓ５０６）。
【００７３】
Ｓ５０１で、（ｄ）及び（ｆ）の領域がピンチされていない場合は、入力情報解析部１３は、図４の（ｅ）及び（ｆ）の領域がピンチされたかを判断する（Ｓ５０７）。（ｅ）及び（ｆ）の領域がピンチされていない場合は、処理フロー４の処理を終了する。一方、（ｅ）及び（ｆ）の領域がピンチされた場合は、入力情報解析部１３は、ピンチアウトの操作であるかを判断する（Ｓ５０８）。
【００７４】
ピンチアウトの操作の場合は、ピンチアウトの操作情報を印刷設定管理部１５に通知し、印刷設定管理部１５は、上記対応付け情報を参照して、そのタッチパネル操作が、プリントエリアを縮小する印刷設定操作であると特定する。そして、印刷設定管理部１５は、印刷設定記憶部１９に記憶された印刷設定を参照して現在のプリントエリアを特定し、現在よりも１段階縮小した縮小率（原稿画像の縮小率）とする印刷設定情報をデータ管理部１７に送り、データ管理部１７は、その印刷設定情報を印刷設定記憶部１９に記憶させる（Ｓ５０９）。その後、データ管理部１７は、その印刷設定に対応する画像情報（原稿画像を１段階縮小した画像）を画像リソース記憶部２０から取得し、表示画像生成部１６に通知する（Ｓ５１０）。
【００７５】
一方、ピンチアウトの操作でない場合は、ピンチインの操作情報を印刷設定管理部１５に通知し、印刷設定管理部１５は、上記対応付け情報を参照して、そのタッチパネル操作が、プリントエリアを拡大する印刷設定操作であると特定する。そして、印刷設定管理部１５は、印刷設定記憶部１９に記憶された印刷設定を参照して、現在よりも１段階拡大した拡大率とする印刷設定情報をデータ管理部１７に送り、データ管理部１７は、その印刷設定情報を印刷設定記憶部１９に記憶させる（Ｓ５１１）。その後、データ管理部１７は、その印刷設定に対応する画像情報（原稿画像を１段階拡大した画像）を画像リソース記憶部２０から取得し、表示画像生成部１６に通知する（Ｓ５１２）。
【００７６】
以上、操作（ジェスチャ）と印刷設定とが予め対応付けられている場合について説明したが、操作（ジェスチャ）と印刷設定との対応付けをユーザがカスタマイズすることも可能である。以下、図１３の画面例及び図１４のフローチャート図を参照して説明する。
【００７７】
まず、表示画面生成部１６は、画像表示部１２に印刷設定の操作を登録するための画面を表示させる。この画面は、例えば、図１３（ａ）のように構成され、画面上に印刷イメージが表示されている。そして、この画面上で、ユーザが所望のタッチパネル操作（図１３（ａ）では、印刷イメージの左端を上下にスワイプするタッチパネル操作）を行うと（Ｓ６０１）、タッチパネルインタフェース１１は、タッチパネルから出力される信号（ユーザがタッチしたタッチパネル上の位置情報）を入力情報解析部１３に通知し、入力情報解析部１３は、位置情報を解析して、ユーザが行ったタッチパネル操作がタップであるか、マルチタップであるか、スワイプであるか、ピンチであるかを判別する（Ｓ６０２〜Ｓ６０６）。
【００７８】
次に、表示画面生成部１６は、画像表示部１２に図１３（ｂ）に示すような確認ダイアログを表示させ（Ｓ６０７）、ユーザが確認ダイアログ内のＯＫボタンを押下すると、画像表示部１２に図１３（ｃ）に示すような印刷設定の操作一覧画面を表示させる（Ｓ６０８）。
【００７９】
そして、ユーザが操作一覧画面の中から所望の印刷設定操作を選択すると、印刷設定管理部１５は、選択された印刷設定と操作種別と画面領域情報を対応付けてデータ管理部１７に通知し、データ管理部１７は、対応付けた情報を設定操作記憶部２１に保存する（Ｓ６０９）。
【００８０】
その後、データ管理部１７は、印刷設定操作に対応する画像情報を（ここでは、２点でパンチする画像）を画像リソース記憶部２０から取得して表示画像生成部１６に通知し、表示画像生成部１６は、取得した画像情報に基づいて印刷イメージを生成し、図１３（ｄ）に示すような印刷イメージを画像表示部１２に表示させる（Ｓ６１０）。
【００８１】
以上説明したように、印刷イメージの所定の領域に対して所定のタッチパネル操作（ジェスチャ）を行うと、予め記憶した対応付け情報を参照して、その所定の領域の所定のタッチパネル操作に対応する印刷設定を特定して記憶すると共に、印刷設定を変更した後の印刷イメージを表示し、タッチパネル操作が終了したら、記憶した印刷設定に応じた印刷を指示する印刷要求を生成するため、ユーザは直感的かつ簡便なタッチパネル操作で印刷設定を行うことができる。また、所定の領域の所定のタッチパネル操作（ジェスチャ）と印刷設定との対応付けをカスタマイズできるため、ユーザの好みのタッチパネル操作で印刷設定を行うことができ、ユーザの利便性を向上させることができる。
【００８２】
なお、本発明は上記実施例の記載に限定されるものではなく、本発明の趣旨を逸脱しない限りにおいて、その構成及び制御は適宜変更可能である。
【００８３】
例えば、上記実施例では、タップ、ピンチ、スワイプを例にして説明したが、印刷設定に使用するタッチパネル操作はこれらの操作に限定されない。また、上記実施例では、１又は２点のタッチに基づくタッチパネル操作を例にして説明したが、３点以上のタッチに基づくタッチパネル操作に対しても同様に適用することができる。
【産業上の利用可能性】
【００８４】
本発明は、タッチパネルを備える印刷指示装置、及び当該印刷指示装置で動作するプログラムに利用可能である。
【符号の説明】
【００８５】
１０  印刷指示装置
１１  タッチパネルインタフェース
１２  画像表示部
１３  入力情報解析部
１４  印刷情報生成部
１５  印刷設定管理部
１６  表示画像生成部
１７  データ管理部
１８  通信処理部
１９  印刷設定記憶部
２０  画像リソース記憶部
２１  設定操作記憶部
【図１】
0005585886.tif 000002
【図２】
0005585886.tif 000003
【図３】
0005585886.tif 000004
【図４】
0005585886.tif 000005
【図５】
0005585886.tif 000006
【図６】
0005585886.tif 000007
【図７】
0005585886.tif 000008
【図８】
0005585886.tif 000009
【図９】
0005585886.tif 000010
【図１０】
0005585886.tif 000011
【図１１】
0005585886.tif 000012
【図１２】
0005585886.tif 000013
【図１３】
0005585886.tif 000014
【図１４】
0005585886.tif 000015